【手続補正書】
【提出日】平成18年10月16日(2006.10.16)
【手続補正１】
【補正対象書類名】明細書
【補正対象項目名】発明の名称
【補正方法】変更
【補正の内容】
【発明の名称】画像処理装置、画像処理方法、表示制御装置、並びに表示制御方法
【手続補正２】
【補正対象書類名】明細書
【補正対象項目名】特許請求の範囲
【補正方法】変更
【補正の内容】
【特許請求の範囲】
【請求項１】  複数の設定項目エリアからなる設定画面に対する操作方法をユーザに学習させるためのヘルプ情報を、前記設定画面に重ねて表示するように制御する制御手段を有する画像処理装置であって、
前記制御手段は、
前記設定画面における複数の設定項目エリアのうちの何れかの設定項目エリアがユーザにより選択された場合に、
前記選択された設定項目エリアを、前記複数の設定項目のうち選択されなかった設定項目エリアより目立たせた状態で前記設定画面内に表示すると共に、前記選択された設定項目エリア内の各設定項目に関するヘルプ情報を前記設定画面の上に重ねて表示すると共に、前記選択された設定項目エリアと前記ヘルプ情報との位置をずらして表示するように制御することを特徴とする画像処理装置。
【請求項２】  前記制御手段は、
前記設定画面内で目立たせた状態で表示されている前記選択された設定項目に対するユーザからの操作を可能としつつも、前記目立たない状態で表示されている前記選択されなかった設定項目に対するユーザからの操作を不可能とすることを特徴とする請求項１に記載の画像処理装置。
【請求項３】  複数の設定項目エリアからなる設定画面に対する操作方法をユーザに学習させるためのヘルプ情報を、前記設定画面に重ねて表示するように制御する制御工程を有する画像処理方法であって、
前記制御工程は、
前記設定画面における複数の設定項目エリアのうちの何れかの設定項目エリアがユーザにより選択された場合に、
前記選択された設定項目エリアを、前記複数の設定項目のうち選択されなかった設定項目エリアより目立たせた状態で前記設定画面内に表示すると共に、前記選択された設定項目エリア内の各設定項目に関するヘルプ情報を前記設定画面の上に重ねて表示すると共に、前記選択された設定項目エリアと前記ヘルプ情報との位置をずらして表示するように制御することを特徴とする画像処理方法。
【請求項４】  コンピュータにより、請求項３記載の画像処理方法を実行可能なプログラムを記録した記録媒体。
【請求項５】  ＧＵＩ上での各種機能の設定および操作に関するヘルプガイダンスを、画面上で表示制御する装置であって、
前記ヘルプガイダンスを前記ＧＵＩ上に表示するに際して、
前記ヘルプガイダンスを前記ＧＵＩ上に表示する処理に関しての呼び出しを設定する処理開始手段と、
前記呼び出しを受けたヘルプガイダンスを複数の設定エリアに分割するエリア分割手段と、
前記分割された複数の設定エリアのうち、所望の機能に関する設定項目に必要なヘルプガイダンスが表示される設定エリアのみを設定可能なアクティブエリアとして、他の設定エリアから浮き立たせて前記ＧＵＩ上に表示する第１の表示手段と、
前記アクティブエリアとして浮き立たせて表示される前記設定エリア内の操作説明を行うガイダンス部を前記ＧＵＩ上に表示する第２の表示手段と、
前記ＧＵＩ上に浮き立たせて表示された前記設定エリアを切替える切替え手段と、
前記ヘルプガイダンスを前記ＧＵＩ上に表示する処理に関しての終了を設定する処理終了手段と
を具えたことを特徴とする表示制御装置。
【請求項６】  前記切替え手段は、
前記設定エリアを、移動、先送り、後戻り、および、前記ヘルプガイダンス自体の途中終了させるための切替え処理を含むことを特徴とする請求項５記載の表示制御装置。
【請求項７】  前記アクティブエリアとしての設定エリア内のボタンを押下することによって別ウインドウ又はダイヤログが現れるような設定項目の場合、該別ウインドウについてのヘルプガイダンスも引き続き前記アクティブエリアと同様な処理を実行することを特徴とする請求項５又は６記載の表示制御装置。
【請求項８】  前記ヘルプガイダンスの指示に従って、或いは、前記ヘルプガイダンスを参考にしながら、設定エリア内の設定項目を順次設定していくことによって、各種設定を行うことを特徴とする請求項５ないし７のいずれかに記載の表示制御装置。
【請求項９】  前記ガイダンス部の表示位置が前記設定エリアに重ならないように、互いにずらして表示することを特徴とする請求項５ないし８のいずれかに記載の表示制御装置。
【請求項１０】  １つの設定エリアが他の設定エリアよりも浮き立つようにスポットライトを照射させて表示を行い、該スポットライトが照射された設定エリアのみが設定操作可能なアクティブエリアとされ、該スポットライトが照射されていない部分の設定エリアは半透明のフィルタがかかった表示がなされたことを特徴とする請求項５ないし９のいずれかに記載の表示制御装置。
【請求項１１】  ＧＵＩ上での各種機能の設定および操作に関するヘルプガイダンスを、画面上で表示制御する表示制御方法であって、
前記ヘルプガイダンスを前記ＧＵＩ上に表示するに際して、
前記ヘルプガイダンスを前記ＧＵＩ上に表示する処理に関しての呼び出しを設定する工程と、
前記呼び出しを受けたヘルプガイダンスを複数の設定エリアに分割する工程と、
前記分割された複数の設定エリアのうち、所望の機能に関する設定項目に必要なヘルプガイダンスが表示される設定エリアのみを設定可能なアクティブエリアとして、他の設定エリアから浮き立たせて前記ＧＵＩ上に表示する工程と、
前記アクティブエリアとして浮き立たせて表示される前記設定エリア内の操作説明を行うガイダンス部を前記ＧＵＩ上に表示する工程と、
前記ＧＵＩ上に浮き立たせて表示された前記設定エリアを切替える切替え工程と、
前記ヘルプガイダンスを前記ＧＵＩ上に表示する処理に関しての終了を設定する工程と
を具えたことを特徴とする表示制御方法。
【請求項１２】  前記切替え工程は、
前記設定エリアを、移動、先送り、後戻り、および、前記ヘルプガイダンス自体の途中終了させるための切替えを行うことを特徴とする請求項１１記載の表示制御方法。
【請求項１３】  前記アクティブエリアとしての設定エリア内のボタンを押下することによって別ウインドウ又はダイヤログが現れるような設定項目の場合、該別ウインドウについてのヘルプガイダンスも引き続き前記アクティブエリアと同様な処理を実行することを特徴とする請求項１１又は１２記載の表示制御方法。
【請求項１４】  前記ヘルプガイダンスの指示に従って、或いは、前記ヘルプガイダンスを参考にしながら、設定エリア内の設定項目を順次設定していくことによって、各種設定を行うことを特徴とする請求項１１ないし１３のいずれかに記載の表示制御方法。
【請求項１５】  前記ガイダンス部の表示位置が前記設定エリアに重ならないように、互いにずらして表示することを特徴とする請求項１１ないし１４のいずれかに記載の表示制御方法。
【請求項１６】  １つの設定エリアが他の設定エリアよりも浮き立つようにスポットライトを照射させて表示を行い、該スポットライトが照射された設定エリアのみが設定操作可能なアクティブエリアとされ、該スポットライトが照射されていない部分の設定エリアは半透明のフィルタがかかった表示がなされることを特徴とする請求項１１ないし１５のいずれかに記載の表示制御方法。
【請求項１７】  コンピュータによって、ＧＵＩ上での各種機能の設定および操作に関するヘルプガイダンスを、画面上で表示制御するためのプログラムを記録した媒体であって、
該制御プログラムはコンピュータに、
前記ヘルプガイダンスを前記ＧＵＩ上に表示させるに際して、
前記ヘルプガイダンスを前記ＧＵＩ上に表示する処理に関しての呼び出しを設定させ、
前記呼び出しを受けたヘルプガイダンスを複数の設定エリアに分割させ、
前記分割させた複数の設定エリアのうち、所望の機能に関する設定項目に必要なヘルプガイダンスが表示される設定エリアのみを設定可能なアクティブエリアとして、他の設定エリアから浮き立たせて前記ＧＵＩ上に表示させ、
前記アクティブエリアとして浮き立たせて表示される設定エリア内の操作説明を行うガイダンス部を前記ＧＵＩ上に表示させ、
前記ＧＵＩ上に浮き立たせて表示された前記設定エリアを切替えさせ、
前記ヘルプガイダンスを前記ＧＵＩ上に表示する処理に関しての終了を設定させることを特徴とする表示制御プログラムを記録した媒体。
【請求項１８】  前記設定エリアを、移動、先送り、後戻り、および、前記ヘルプガイダンス自体の途中終了させるための切替えを行なわせることを特徴とする請求項１７記載の表示制御プログラムを記録した媒体。
【請求項１９】  前記アクティブエリアとしての設定エリア内のボタンを押下することによって別ウインドウ又はダイヤログが現れるような設定項目の場合、該別ウインドウについてのヘルプガイダンスも引き続き前記アクティブエリアと同様な処理を実行させることを特徴とする請求項１７又は１８記載の表示制御プログラムを記録した媒体。
【請求項２０】  前記ヘルプガイダンスの指示に従って、或いは、前記ヘルプガイダンスを参考にしながら、設定エリア内の設定項目を順次設定させていくことによって、各種設定をさせることを特徴とする請求項１７ないし１９のいずれかに記載の表示制御プログラムを記録した媒体。
【請求項２１】  前記ガイダンス部の表示位置が前記設定エリアに重ならないように、互いにずらして表示させることを特徴とする請求項１７ないし２０のいずれかに記載の表示制御プログラムを記録した媒体。
【請求項２２】  １つの設定エリアが他の設定エリアよりも浮き立つようにスポットライトを照射させて表示を行なわせ、該スポットライトが照射された設定エリアのみが設定操作可能なアクティブエリアとさせ、該スポットライトが照射されていない部分の設定エリアは半透明のフィルタがかかった表示をさせることを特徴とする請求項１７ないし２１のいずれかに記載の表示制御プログラムを記録した媒体。
【手続補正３】
【補正対象書類名】明細書
【補正対象項目名】０００１
【補正方法】変更
【補正の内容】
【０００１】
【発明の属する技術分野】
本発明は、コンピュータシステムの表示画面上において、ＧＵＩ（グラフィカルユーザインターフェース）上の各種機能の設定やボタンの操作などのヘルプガイダンスを用いた表示及び設定を行うことが可能な、画像処理装置、画像処理方法、表示制御装置、並びに表示制御方法に関する。
【手続補正４】
【補正対象書類名】明細書
【補正対象項目名】０００６
【補正方法】変更
【補正の内容】
【０００６】
そこで、ＧＵＩ上での各種機能の設定を、ヘルプガイダンスを用いて簡単な操作手順に従って行うことによって、作業効率を向上させることが可能な、画像処理装置、画像処理方法、表示制御装置、並びに表示制御方法を提供することにある。
【手続補正５】
【補正対象書類名】明細書
【補正対象項目名】０００７
【補正方法】変更
【補正の内容】
【０００７】
【課題を解決するための手段】
本発明は、複数の設定項目エリアからなる設定画面に対する操作方法をユーザに学習させるためのヘルプ情報を、前記設定画面に重ねて表示するように制御する制御手段を有する画像処理装置であって、前記制御手段は、前記設定画面における複数の設定項目エリアのうちの何れかの設定項目エリアがユーザにより選択された場合に、前記選択された設定項目エリアを、前記複数の設定項目のうち選択されなかった設定項目エリアより目立たせた状態で前記設定画面内に表示すると共に、前記選択された設定項目エリア内の各設定項目に関するヘルプ情報を前記設定画面の上に重ねて表示すると共に、前記選択された設定項目エリアと前記ヘルプ情報との位置をずらして表示するように制御することによって、画像処理装置を構成する。
ここで、前記制御手段は、前記設定画面内で目立たせた状態で表示されている前記選択された設定項目に対するユーザからの操作を可能としつつも、前記目立たない状態で表示されている前記選択されなかった設定項目に対するユーザからの操作を不可能とすることができる。
本発明は、複数の設定項目エリアからなる設定画面に対する操作方法をユーザに学習させるためのヘルプ情報を、前記設定画面に重ねて表示するように制御する制御工程を有する画像処理方法であって、前記制御工程は、前記設定画面における複数の設定項目エリアのうちの何れかの設定項目エリアがユーザにより選択された場合に、前記選択された設定項目エリアを、前記複数の設定項目のうち選択されなかった設定項目エリアより目立たせた状態で前記設定画面内に表示すると共に、前記選択された設定項目エリア内の各設定項目に関するヘルプ情報を前記設定画面の上に重ねて表示すると共に、前記選択された設定項目エリアと前記ヘルプ情報との位置をずらして表示するように制御することによって、画像処理方法を提供する。
本発明は、コンピュータにより、請求項３記載の画像処理方法を実行可能なプログラムを記録した記録媒体を提供する。
本発明は、ＧＵＩ上での各種機能の設定および操作に関するヘルプガイダンスを、画面上で表示制御する装置であって、前記ヘルプガイダンスを前記ＧＵＩ上に表示するに際して、前記ヘルプガイダンスを前記ＧＵＩ上に表示する処理に関しての呼び出しを設定する処理開始手段と、前記呼び出しを受けたヘルプガイダンスを複数の設定エリアに分割するエリア分割手段と、前記分割された複数の設定エリアのうち、所望の機能に関する設定項目に必要なヘルプガイダンスが表示される設定エリアのみを設定可能なアクティブエリアとして、他の設定エリアから浮き立たせて前記ＧＵＩ上に表示する第１の表示手段と、前記アクティブエリアとして浮き立たせて表示される前記設定エリア内の操作説明を行うガイダンス部を前記ＧＵＩ上に表示する第２の表示手段と、前記ＧＵＩ上に浮き立たせて表示された前記設定エリアを切替える切替え手段と、前記ヘルプガイダンスを前記ＧＵＩ上に表示する処理に関しての終了を設定する処理終了手段とを具えることによって、表示制御装置を構成する。